(57)【特許請求の範囲】
【請求項１】
合成樹脂成形品のキャビネットケースの一部が前方に突出して形成された照明器具収納凹所の内部に照明器具を収納して取付け、照明器具収納凹所の底部の水平横壁に照明窓を形成し、照明窓に照明カバーを取外し自在に取付けた洗面化粧台であって、長方形状にした照明窓の対向する短辺側の縁部に中心側程上になるテーパー縁部を形成し、テーパー縁部に板状体で可撓性を備えた照明カバーの長さ方向の両端部を当接させて固定して成ることを特徴とする洗面化粧台。
【請求項２】
照明窓の長手方向の中間部の窓縁部に下方に突出する隙間防止用の突起を形成して成ることを特徴とする請求項１記載の洗面化粧台。
【請求項３】
照明器具収納凹所の前面縦壁にキャビネットケースの撓み変形を防止する撓み防止桟を取付け、上端に器具取付片を備えたアングル材を撓み防止桟に取付け、器具取付片に照明器具を取付けて成ることを特徴とする請求項１記載の洗面化粧台。
【請求項４】
照明器具からの光りの漏れを防止する光り漏れシートを照明器具収納凹所に配し、光り漏れシートの下端部をアングル材と前面縦壁との間に保持して成ることを特徴とする請求項３記載の洗面化粧台。
【発明の詳細な説明】
【０００１】
【発明の属する技術分野】
本発明は、照明器具を内蔵した洗面化粧台に関し、詳しくは、外観を低下させることなく照明窓に付設した照明カバーと窓縁との間に隙間が生じるのを防止しようとする技術に係るものである。
【０００２】
【従来の技術】
従来、洗面化粧台においては、図８及び図９に示すように、合成樹脂成形品のキャビネットケース１が前方に突出して照明器具収納凹所２が形成され、この照明器具収納凹所２に照明器具３を取付け、照明器具収納凹所２の底部の水平横壁４に照明窓５を形成し、照明窓５に照明カバー６を取外し自在に取付けるのである。又、キャビネットケース１は真空成形されてミラー扉１０，１０を開閉自在に取付けられるのである。
【０００３】
【発明が解決しようとする課題】
ところで、照明器具３は蛍光灯のような長い管状体のものであり、照明窓５が長孔となり、照明カバー６も長尺板状体となるのである。このような長尺板状体の照明カバー６を照明窓５に取付けた場合に、重いミラー扉１０を開閉自在に取付けた側に荷重がかかってキャビネットケース１に撓みが生じて照明窓５の形状が変形して、照明カバー６との間に隙間ができて光りが漏れるのである。
【０００４】
このような問題を解消するのに際して、図１０（ａ）に示すように、多くのビスｂを使ったり、又、同図（ｂ）に示すように長辺側に沿う長い押さえ片９ａを使用するのであり、外観が低下し、洗面化粧台としての商品価値が低下するという問題があった。
【０００５】
本発明はこのような問題に鑑みてなされたものであり、外観を低下させることなく照明窓に付設した照明カバーと窓縁との間に隙間が生じるのを防止することができる洗面化粧台を提供することを課題とするものである。
【０００６】
【課題を解決するための手段】
請求項１においては、合成樹脂成形品のキャビネットケース１の一部が前方に突出して形成された照明器具収納凹所２の内部に照明器具３を収納して取付け、照明器具収納凹所２の底部の水平横壁４に照明窓５を形成し、照明窓５に照明カバー６を取外し自在に取付けた洗面化粧台であって、長方形状にした照明窓５の対向する短辺側の縁部に中心側程上になるテーパー縁部７，７を形成し、テーパー縁部７，７に板状体で可撓性を備えた照明カバー６の長さ方向の両端部を固定していることを特徴とするものである。このような構成によれば、長尺となる照明カバー６の両端部を照明窓５の中心側程上になるテーパー縁部７，７に固定することから、照明カバー６をアーチ状に付勢することができて照明カバー６と照明窓５の縁部との間に隙間が生じることを防止することができ、合成樹脂成形品のキャビネットケース１を使用する洗面化粧台の商品価値を高めることができる。
【０００７】
請求項２においては、照明窓５の長手方向の中間部の窓縁部に下方に突出する隙間防止用の突起８，８を形成してあることを特徴とするものである。このような構成によれば、隙間が生じやすい長手方向の中間部における突起８，８によって長尺の板状の照明カバー６を略Ｍ字状に撓ませることで、一層、隙間を防止することができる。
【０００８】
請求項３においては、照明器具収納凹所２の前面縦壁１１にキャビネットケース１の撓み変形を防止する撓み防止桟１２を取付け、撓み防止桟１２に上端に器具取付片１３を備えたアングル材１４を取付け、器具取付片１３に照明器具３を取付けていることを特徴とするものである。このような構成によれば、前面縦壁１１に取付けた撓み防止桟１２によって照明器具収納凹所２の撓み変形を防止することができ、一層、照明カバー６と照明窓５との間に隙間が生じるのを防止することができ、更に、撓み防止桟１２を有効に利用してアングル材１４を介して照明器具３を取付けることができ、照明器具３の取付け構成を簡素化することができる。
【０００９】
請求項４においては、照明器具３からの光りの漏れを防止する光り漏れシート１５を照明器具収納凹所２に配し、光り漏れシート１５の下端部をアングル材１４と前面縦壁１１との間に保持していることを特徴とするものである。このような構成によれば、光り漏れシート１５によって照明器具３からの合成樹脂成形品製のキャビネットケース１を透す光りの漏れを遮蔽することができ、かつ、光り漏れシート１５の端部をアングル材１４と前面縦壁１１との間に保持することができて、光り漏れシート１５の保持構成を簡素化することができる。
【００１０】
【発明の実施の形態】
以下、本発明の実施の形態を説明する。図１は概略分解斜視図、図２は部分斜視図、図３は詳細断面図である。
【００１１】
洗面化粧台Ａは、合成樹脂成形品のキャビネットケース１の一部が前方に突出して形成された照明器具収納凹所２の内部に照明器具３を収納して取付け、照明器具収納凹所２の底部の水平横壁４に照明窓５を形成し、照明窓５に照明カバー６を取外し自在に取付けている。キャビネットケース１は真空成形されている。以下、照明窓５に照明カバー６を取付ける構成を詳述する。
【００１２】
長方形状にした照明窓５の対向する短辺側の縁部に中心側程上になるテーパー縁部７，７を形成している。照明窓５の対向する長辺側には起立壁１６を形成している。
【００１３】
照明器具収納凹所２の前面縦壁１１にキャビネットケース１の撓み変形を防止する撓み防止桟１２を、例えば、接着剤にて接着している。撓み防止桟１２は発泡ポリスチレンを使用するが、木や他の材料のものを採用できる。撓み防止桟１２にミラー扉１０の枢支体１７を取付けてミラー扉１０を回動開閉自在に取付けている。撓み防止桟１２には上端に器具取付片１３を備えたアングル材１４を撓み防止機能を備えた押さえ桟１９を介して取付けている。又、撓み防止桟１２には押さえ桟１９を介してカバー取付金具１８を取付けている。
【００１４】
しかして、前面縦壁１１に取付けた撓み防止桟１２及び押さえ桟１９によって重いミラー扉１０を開閉しても照明器具収納凹所２のキャビネットケース１部分が撓み変形を防止することができるのである。
【００１５】
ところで、照明窓５のテーパー縁部７，７に板状体で可撓性を備えた照明カバー６の長さ方向の両端部を当接してビスｂにてカバー取付金具１８に固定しているのであり、図４に示すように、照明カバー６をアーチ状に付勢することができて照明カバー６と照明窓５の縁部との間に隙間が生じることを防止することができ、合成樹脂成形品のキャビネットケース１を使用する洗面化粧台の商品価値を高めるのである。
【００１６】
ところで、照明器具３からの光りの漏れを防止する光り漏れシート１５を照明器具収納凹所２に配しているのであり、光り漏れシート１５は、例えば、段ボール紙製であり、その下端部をアングル材１４と前面縦壁１１との間に差込み保持し、上端部を接着剤にてキャビネットケース１に接着している。
【００１７】
しかして、光り漏れシート１５によって照明器具３からの合成樹脂成形品製のキャビネットケース１を透す光りの漏れを遮蔽することができ、かつ、光り漏れシート１５の端部をアングル材１４と前面縦壁１１との間に保持することができて、光り漏れシート１５の保持構成を簡素化することができるのである。
【００１８】
図４（ｂ）は他の実施の形態を示し、本実施の形態においては、テーパー縁部７，７を弧状に形成したものであり、一層、照明カバー６をアーチ状にしやすくなるものである。
【００１９】
図４（ｃ）及び同図（ｄ）は他の実施の形態を示し、本実施の形態においては、照明カバー６が長くなって撓みやすくなった場合で、照明窓５の長手方向の中間部の窓縁部に下方に突出する隙間防止用の突起８，８を形成したものであり、隙間が生じやすい長手方向の中間部における突起８，８によって長尺の板状の照明カバー６を上から押さえて略Ｍ字状に撓ませることで、一層、隙間を防止することができるのである。
【００２０】
図５（ａ）は他の実施の形態を示し、照明カバー６の固定をカバー取付金具１８に対してカバーの直線部においておこなうとともに、テーパー縁部７においてもビスｂにて固定するようにしたものであり、同図（ｂ）はレール状の押させ片９にて押さえるようにしたものである。この場合、レール状の押さえ片９は予め照明窓５の窓縁部に固定して照明カバー６を差込みにて固定してもよいものである。
【００２１】
ところで、撓み防止桟１２は図６及び図７に示すように金属製にしてもよく、その長さは洗面化粧台Ａの幅によって選択される。
【００２２】
【発明の効果】
請求項１においては、合成樹脂成形品のキャビネットケースの一部が前方に突出して形成された照明器具収納凹所の内部に照明器具を収納して取付け、照明器具収納凹所の底部の水平横壁に照明窓を形成し、照明窓に照明カバーを取外し自在に取付けた洗面化粧台であって、長方形状にした照明窓の対向する短辺側の縁部に中心側程上になるテーパー縁部を形成し、テーパー縁部に板状体で可撓性を備えた照明カバーの長さ方向の両端部を固定しているから、つまり、長尺となる照明カバーの両端部を照明窓の中心側程上になるテーパー縁部に固定することから、照明カバーをアーチ状に付勢することができて照明カバーと照明窓の縁部との間に隙間が生じることを防止することができ、合成樹脂成形品のキャビネットケースを使用する洗面化粧台の商品価値を高めることができるという利点がある。
【００２３】
請求項２においては、照明窓の長手方向の中間部の窓縁部に下方に突出する隙間防止用の突起を形成してあるから、請求項１の効果に加えて、隙間が生じやすい長手方向の中間部における突起によって長尺の板状の照明カバーを略Ｍ字状に撓ませることで、一層、隙間を防止することができるという利点がある。
【００２４】
請求項３においては、照明器具収納凹所の前面縦壁にキャビネットケースの撓み変形を防止する撓み防止桟を取付け、上端に器具取付片を備えたアングル材を撓み防止桟に取付け、器具取付片に照明器具を取付けているから、請求項１の効果に加えて、前面縦壁に取付けた撓み防止桟によって照明器具収納凹所の撓み変形を防止することができ、一層、照明カバーと照明窓との間に隙間が生じるのを防止することができ、更に、撓み防止桟を有効に利用してアングル材を介して照明器具を取付けることができ、照明器具の取付け構成を簡素化することができるという利点がある。
【００２５】
請求項４においては、照明器具からの光りの漏れを防止する光り漏れシートを照明器具収納凹所に配し、光り漏れシートの下端部をアングル材と前面縦壁との間に保持しているから、請求項３の効果に加えて、光り漏れシートによって照明器具からの合成樹脂成形品製のキャビネットケースを透す光りの漏れを遮蔽することができ、かつ、光り漏れシートの端部をアングル材と前面縦壁との間に保持することができて、光り漏れシートの保持構成を簡素化することができるという利点がある。
【図面の簡単な説明】
【図１】本発明の実施の一形態を示す概略分解斜視図である。
【図２】同上の部分斜視図である。
【図３】同上の詳細断面図である。
【図４】（ａ）は概略断面図、（ｂ）は他の実施の形態の概略断面図、（ｃ）は他の実施の形態の概略断面図、（ｄ）は同上の突起を示す概略側断面図である。
【図５】（ａ）は同上の他の実施の形態の概略断面図、（ｂ）は他の実施の形態の概略断面図である。
【図６】同上の撓み防止桟及びアングル材を示す正面図である。
【図７】同上の他の実施の形態の撓み防止桟及びアングル材を示す正面図である。
【図８】従来例を示し、（ａ）は全体斜視図、（ｂ）は側面図である。
【図９】（ａ）（ｂ）は同上の作用を示す底面図、（ｃ）は背面図である。
【図１０】（ａ）は他の従来例の斜視図、（ｂ）は他の従来例の斜視図、（ｃ）は側面図である。
【符号の説明】
１  キャビネットケース
２  照明器具収納凹所
３  照明器具
４  水平横壁
５  照明窓
６  照明カバー
７  テーパー縁部
【図１】
0003591402.tif 000002
【図２】
0003591402.tif 000003
【図３】
0003591402.tif 000004
【図４】
0003591402.tif 000005
【図５】
0003591402.tif 000006
【図６】
0003591402.tif 000007
【図７】
0003591402.tif 000008
【図８】
0003591402.tif 000009
【図９】
0003591402.tif 000010
【図１０】
0003591402.tif 000011